(57)【要約】【課    題】マイボーム腺の観察に好適な装置を提供すること。【解決手段】適宜光源３の光を導く導光手段５を具備した把手部１と、該把手部１の先端から前方へ延設された細筒状の部材６に前記導光手段５からの光を導入しその光を当該部材６の側面へ照射する照明部とを具備し、該照明部は裏返された瞼の裏に挿入してその裏返し状態を支持できる形態に形成されており、その照明部を裏返された瞼の裏に入れてその部を支持し、マイボーム腺を裏返した瞼の裏から照明するようにしたこと。【選択図】    図１
2004236727.tif 000002
【特許請求の範囲】
【請求項１】
適宜光源の光を導く導光手段を具備した把手部と、該把手部の先端から前方へ延設された細筒状の部材に前記導光手段からの光を導入しその光を当該部材の側面へ照射する照明部とを具備し、該照明部は裏返された瞼の裏に挿入してその裏返し状態を支持できる形態に形成されており、その照明部を裏返された瞼の裏に入れてその部を支持し、マイボーム腺を裏返した瞼の裏から照明するようにしたことを特徴とするマイボーム腺の観察装置。
【請求項２】
把手部の内部に光ファイバを導光手段として収挿し、前記光ファイバを照明部にそのまま導入した請求項１のマイボーム腺の観察装置。
【請求項３】
ＬＥＤなどによる照明用光源は、前記把手部の内部において光ファイバの末端側に配置するか、又は、前記光ファイバを把手部の後端から外部に延長して設け、外部に設置されたＬＥＤ等による光源の光をその光ファイバに導入する構造とした請求項１又は２のマイボーム腺の観察装置。
【請求項４】
照明光は、可視光又は赤外光である請求項１〜３のいずれかのマイボーム腺の観察装置。
【請求項５】
照明部は、把手部より細目の不透光性の筒状体を把手部の先端部に大略Ｌ字状などをなすように形成して設けると共に、該筒状体の内部に把手部を通した光ファイバを導入し、かつ、その筒状体の側面に光放射のための細孔又はスリットを列設した請求項１〜４のいずれかのマイボーム腺の観察装置。
【発明の詳細な説明】
【０００１】
【発明の属する技術分野】
本発明は人の眼のマイボーム腺の観察装置に関する。
【０００２】
【従来の技術】
近年、ＶＤＴ作業など、眼を酷使することになる作業の増加に伴い、いわゆるドライアイの症状を訴える者が多くなり、ドライアイ症状に密接な関係があると考えられているマイボーム腺を眼科医などにおいて観察するケースが増えている。
【０００３】
しかし、マイボーム腺は上，下瞼の内部にそれぞれにあるため、それを観察するには、上瞼，下瞼ともその瞼を裏返し、その瞼の裏から照明光を瞼内部に透過させて照明する必要がある。しかし、現状では単に瞼を裏返してその表側からの自然光やペンライトなどによる照明で観察しているため、十分な観察がしにくい、或は、観察できないことがあり、マイボーム腺の状態を判断乃至診断することが困難であると指摘されている。
【０００４】
【発明が解決しようとする課題】
そこで本発明は、瞼の内部にあるマイボーム腺の観察のための照明の現状と、それに基づいた問題点に鑑み、マイボーム腺の観察に好適な装置を提供することを、その課題とするものである。
【０００５】
【課題を解決するための手段】
上記課題を解決することを目的としてなされた本発明観察装置の構成は、適宜光源の光を導く導光手段を具備した把手部と、該把手部の先端から前方へ延設された細筒状の部材に前記導光手段からの光を導入しその光を当該部材の側面へ照射する照明部とを具備し、該照明部は裏返された瞼の裏に挿入してその裏返し状態を支持できる形態に形成されており、その照明部を裏返された瞼の裏に入れてその部を支持し、マイボーム腺を裏返した瞼の裏から照明するようにしたことを特徴とするものである。
【０００６】
本発明観察装置では、把手部の内部に光ファイバを導光手段として収挿し、照明部には、前記光ファイバがそのまま導入された構成とする。この場合において、ＬＥＤなどによる照明用光源は前記把手部の内部において光ファイバの末端側に配置することが好ましい。本発明観察装置をハンディタイプに形成できるからである。
【０００７】
しかし、本発明では、前記光ファイバを把手部の後端から外部に延長して設け、外部に設定したＬＥＤ等による光源の光をその光ファイバに導入する構造としてもよい。また、光源の光を照明部へ伝送する手段としては、前記光ファイバと併用して、或は、光ファイバを用いずプラスチックレンズ等の光学系による光伝送系を配置した構成とすることも可能である。
【０００８】
本発明観察装置における、照明部の構成としては、不透光性で細い棒状の筒状体を大略Ｌ字状、或は、Ｔ字状、若しくは直状などの適宜形状に形成して把手部の先端部に設けると共に、該筒状体の内部に把手部を通した光ファイバを導入し、かつ、その筒状体の側面に光放射のための細孔又はスリットを列設した構造とする。なお、照明部の形態は、上記の３つの列に限られるものではなく、照明光を照射する照明部が裏返した上又は下の瞼の裏に入り、かつ、その瞼を裏返し状態で支持できる形態であればよい。
【０００９】
また、本発明観察装置においては、その照明光に、可視光、或は、赤外光のいずれであっても使用することができる。なお、光源に電球を用いて赤外光を照明光とする場合には、光路上に赤外透過フィルタを用いる。また、照明光に可視光を用いた場合には、直接目視、或は、拡大鏡や通常のカメラを使用して観察すればよい。赤外光を用いた場合には、当該赤外光に感度が合うカメラやフィルムを使用した観察をする。
【００１０】
【発明の実施の形態】
次に本発明観察装置の実施の形態例について、図を参照して説明する。図１は本発明観察装置の一例の構造を説明するための側面図、図２は図１のＡ−Ａ矢視拡大断面図、図３は図１の本発明観察装置を下瞼に適用した例の要部の正面図、図４は図１の本発明観察装置を上瞼に適用した例の要部の正面図である。
【００１１】
図１において、１は人が手で握ることができる程度の外径を有する筒状体、具体的には直径１０〜２０φｍｍ程度、長さ１００〜２００ｍｍ程度の不透光性の筒状体により形成した把手部で、この例では先端側にテーパ状のキャップ１１を設けると共に、後端にエンドキャップ１２が、いずれも不透光材により着脱可能に設けられている。
【００１２】
前記把手部１は、その内部に一次又は二次の電池を主体とした電源部２と、該電源部２と電気的に接離されることにより点灯又は滅灯される、ここでは光源ホルダ４に保持されたＬＥＤを一例とする光源３と、前記光源ホルダ４の光源３の前方に後端が位置付けられ、前端側がキャップ１１に装着される細い棒状、具体的には一例として内径が３ｍｍφ程度の筒体により形成した支持プローブ６に挿入される導光手段の一例としての光ファイバ５とが、この把手部１の後部から前部に向けて順に配設されている。
【００１３】
ここで、上記支持プローブ６は、前記の光ファイバ５の束が挿填される内径のプラスチック又は金属製の不透光性のパイプ材（筒体）により形成し、先端を光学的かつ機械的に塞ぐと共に、側面に一例として略９０度の挟み角で２列の照明光放射用の小孔６ａ，６ｂが透設されることにより、照明部の一形態に形成されている。上記の２列の小孔６ａ，６ｂの設置態様は、図１のＡ−Ａ矢視図として示した図２のとおりである。上記の照明光放射用として設ける孔やスリットは１列でもよく、また、２列設ける場合の挟み角も９０度に限られるものではなく、９０度以上、或は、９０度以下であってもよい。また、支持プローブ６は図示した例では大略Ｌ字状に形成されているが、Ｔ字状や直線状など他の形状であってもよい。
【００１４】
上記のように形成された本発明観察装置では、光源３を点灯すると、その光が光ファイバ５を通って支持プローブ６の先端側まで伝送されるが、指示プローブ６は全体が不透光性で、２列の小孔６ａ，６ｂが透設されているだけであるから、前記光は支持プローブ６の側面の小孔６ａ，６ｂの列から外側に照射されることとなる。そこで、本発明観察装置では、支持プローブ６において上記態様で照射される光を、マイボーム腺の観察用照明光として利用するので、その利用形態について図３，図４により説明する。
【００１５】
図３は被検眼Ｅの下瞼ｄｅのマイボーム腺を観察する正面態様を示しており、本発明観察装置の支持プローブ６の前半部を、被検眼Ｅの下瞼ｄｅの前に軽く押し当て、この状態でその下瞼ｄｅを当接されている支持プローブ６を巻くような態様で裏返して光源３を点灯すると、その光が小孔６ａ，６ｂから外部に照射されるので、裏返された下瞼ｄｅにおいてその瞼ｄｅの内部にあるマイボーム腺が、前記小孔６ａ，６ｂからの光によって瞼ｄｅ裏側から透過する光によって照明されることとなるので、従来にない高い精度で良好な観察を実現できる。
【００１６】
図４は上瞼ｕｅのマイボーム腺の本発明観察装置による観察状態を例示したもので、本発明観察装置を図４のように向けて被検眼Ｅの上瞼ｕｅに支持プローブ６の前半側を軽く当てがい、この状態で上瞼を裏返しその瞼の裏側から透過する照明光でマイボーム腺を観察する点は、上記の下瞼ｄｅの場合とほぼ同様である。
【００１７】
本発明観察装置は上述の通り、光源３の光をファイバ５を通して支持プローブ６の小孔６ａ，６ｂによる照明部に伝送する構成であるから、支持プローブ６の先端側が使い勝手上の理由で曲げられていても、裏返された上，下の瞼をその裏から照明することができる。
【００１８】
また、光ファイバ５は、支持プローブ６において被検眼Ｅの瞼ｄｅ，ｕｅの接触面となる部位に設定された複数の小孔６ａ，６ｂの列や図示しないスリット列による開口部に当該ファイバ５の端面が位置するように当該プローブ６の内部に配置することにより、照明効率よく光源３の光を照射することができる。
【００１９】
しかも、支持プローブ６の照明光照射用の開口部は、小孔６ａ，６ｂの列やスリット列により形成し、これが被検眼Ｅの裏返しにされた瞼により覆われるので、照明光が外部に漏れることがなく、従って、前記照明光が例えば観察時のカメラ撮影の邪魔になることもない。特に、本発明における支持プローブ６は細い棒状態様であるから裏返される瞼によってほぼ完全に覆われてしまい、この結果、マイボーム腺は瞼の裏側から透過する照明光により全面的に照明されることとなり、観察部位が検者側からみると透過光による照明となるので、より明瞭にマイボーム腺の陰影状態を観察することができる。
【００２０】
【発明の効果】
本発明は以上の通りであるから、マイボーム腺をきわめて適切な照明状態の下において観察するための装置としてきわめて有用である。
【図面の簡単な説明】
【図１】本発明観察装置の一例の構造を説明するための側面図
【図２】図１のＡ−Ａ矢視拡大断面図
【図３】図１の本発明観察装置を下瞼に適用した例の要部の正面図
【図４】図１の本発明観察装置を上瞼に適用した例の要部の正面図
【符号の説明】
１    把手部
２    電源
３    光源
４    光源ホルダ
５    光ファイバ
６    支持プローブ
【図１】
2004236727.tif 000003
【図２】
2004236727.tif 000004
【図３】
2004236727.tif 000005
【図４】
2004236727.tif 000006